(57)【特許請求の範囲】
【請求項１】
建物に配置される天窓と、
前記天窓に入射した光を受光するために建物の屋内側に配置される採光部と、
を備え、
前記採光部は、
開閉自在な可動枠と、
前記可動枠の屋内側の開口端部に配置され、前記可動枠の開口を覆う透光性の光拡散性部材と、
前記可動枠の開口を覆うように前記光拡散性部材と対向して前記可動枠に配置され、前記光拡散性部材に対して屋外側に配置される透光性部材と、
を有し、
前記光拡散性部材と前記透光性部材との間は密閉されており、可動枠が閉じた状態で前記天窓に入射した光を建物の屋内に透過可能であることを特徴とする採光装置。
【請求項２】
前記可動枠の屋外側の開口端は、前記透光性部材よりも屋外側に向かって延出している請求項１に記載の採光装置。
【請求項３】
前記採光部は、前記可動枠を開閉自在に嵌め込むための固定枠を更に有する請求項２に記載の採光装置。
【請求項４】
前記光拡散性部材の屋内側の全光線反射率は、２５〜８０％の範囲にある請求項１〜３の何れか一項に記載の採光装置。
【請求項５】
前記透光性部材は、屋外側に向かって凸状に形成されている請求項１〜４の何れか一項に記載の採光装置。
【請求項６】
前記光拡散性部材のヘーズ値は、６０％以上である請求項１〜５の何れか一項に記載の採光装置。
【請求項７】
前記光拡散性部材は面状に形成されており、前記光拡散性部材の面の位置は、建物の屋内側の天井の面と一致している請求項１〜６の何れか一項に記載の採光装置。
【請求項８】
天窓に入射した光を受光するために建物の屋内側に配置される採光部であって、
開閉自在な可動枠と、
前記可動枠の屋内側の開口端部に配置され、前記可動枠の開口を覆う透光性の光拡散性部材と、
前記可動枠の開口を覆うように前記光拡散性部材と対向して前記可動枠に配置され、前記光拡散性部材に対して屋外側に配置される透光性部材と、
を有し、
前記光拡散性部材と前記透光性部材との間は密閉されており、可動枠が閉じた状態で前記天窓に入射した光を建物の屋内に透過可能であることを特徴とする採光部。
【発明の詳細な説明】
【技術分野】
【０００１】
本発明は、採光部及びそのような採光部を用いた採光装置に関する。
【背景技術】
【０００２】
従来、建物の屋外の太陽光等の外光を採光して、建物の屋内に光を導く採光装置が用いられている。このような採光装置を用いると、外光を利用して屋内を照らすことが可能となる。
【０００３】
採光装置には、建物の屋外と屋内とを連通する導光路を規定する導光路壁と、導光路壁の屋外側の開口端部に配置される天窓と、導光路壁の屋内側の開口端部に配置される採光部と、を有するものがある。採光部は、屋内の天井に露出しており、屋外から導かれた外光を屋内に照射する。また、採光部は、導光路に対して開閉可能になっており、導光路内及び天窓を点検又は修理する際には、開けられて使用され得る。
【先行技術文献】
【特許文献】
【０００４】
【特許文献１】特開平１１−１６０６４６号公報
【特許文献２】登録実用新案第３１１１９３０号公報
【発明の概要】
【発明が解決しようとする課題】
【０００５】
しかし、導光路内と建物の屋内との温度差が大きい場合、採光部の屋内側の面に結露が生じる場合がある。このように、採光部の屋内側の面に結露が生じると、生じた結露が屋内に落下するおそれがある。
【０００６】
また、建物の屋外と導光路内との温度差が大きい場合、天窓の導光路側の面に結露が生じる場合がある。このように、天窓の導光路側の面に結露が生じると、天窓の結露が採光部の上に落下する場合がある。そして、透光性の採光部の上に落下した水滴は、屋内側から視認され得るので、美観上好ましくないおそれがある。
【０００７】
そこで、本発明は、上記課題を解決するために、採光部の屋内側に結露の発生を防止すると共に、採光部の美観の低下を抑えることができる採光部を備えた採光装置を提供することを目的とする。
【０００８】
また、本発明は、上記課題を解決するために、採光部の屋内側の結露の発生を防止すると共に、採光部の美観の低下を抑えることができる採光部を提供することを目的とする。
【課題を解決するための手段】
【０００９】
上記目的を達成するために、本発明に係る採光装置は、建物に配置される天窓と、天窓に入射した光を受光するために建物の屋内側に配置される採光部と、を備え、採光部は、開閉自在な可動枠と、可動枠に配置され、可動枠の開口を覆う透光性の光拡散性部材と、光拡散性部材と対向して配置され、光拡散性部材に対して屋外側に配置される透光性部材と、を有し、光拡散性部材と透光性部材との間は密閉されていることを特徴とする。
【００１０】
また、上記目的を達成するために、本発明に係る採光部は、天窓に入射した光を受光するために建物の屋内側に配置される採光部であって、開閉自在な可動枠と、可動枠に配置され、可動枠の開口を覆う透光性の光拡散性部材と、光拡散性部材と対向して配置され、光拡散性部材に対して屋外側に配置される透光性部材と、を有し、光拡散性部材と透光性部材との間は密閉されていることを特徴とする。
【発明の効果】
【００１１】
上述した採光装置によれば、採光部の屋内側の結露の発生を防止すると共に、採光部の美観の低下を抑えることができる。
【００１２】
また、上述した採光部によれば、採光部の屋内側の結露の発生を防止すると共に、採光部の美観の低下を抑えることができる。
【図面の簡単な説明】
【００１３】
【図１】本明細書に開示する採光装置の第１実施形態を示す断面図である。
【図２】図１に示す採光装置の天窓の平面図である。
【図３】図１に示す採光装置の採光部の平面図である。
【図４】図１に示す採光装置の採光部の拡大断面図である。
【図５】図１に示す採光部の可動枠の開閉の状態を示す図である。
【図６】（Ａ）〜（Ｃ）は、図１に示す採光装置の変形例を示す図である。
【図７】（Ａ）〜（Ｃ）は、図１に示す採光装置の他の変形例を示す図である。
【図８】本明細書に開示する採光装置の第２実施形態を示す断面図である。
【図９】本明細書に開示する採光装置の第３実施形態を示す断面図である。
【発明を実施するための形態】
【００１４】
以下、本明細書で開示する採光装置の好ましい実施形態を、図を参照して説明する。但し、本発明の技術範囲はそれらの実施形態に限定されず、特許請求の範囲に記載された発明とその均等物に及ぶものである。
【００１５】
図１は、本明細書に開示する採光装置の第１実施形態を示す断面図である。図２は、図１に示す採光装置の天窓の平面図である。図３は、図１に示す採光装置の採光部の平面図である。図４は、図１に示す採光装置の採光部の拡大断面図である。図５は、図１に示す採光部の可動枠の開閉の状態を示す図である。
【００１６】
本実施形態の採光装置１０は、図１に示すように、建物の屋外２０ａと屋内２０ｂとを連通する導光路１１を規定する導光路壁１１ｃと、導光路壁１１ｃの屋外側の開口端部１１ａに配置される天窓１２ａと、天窓１２ａに入射した光を受光するために建物の屋内側に配置される採光部１３ａと、を備える。導光路１１は、鉛直方向に真っ直ぐに形成されている。
【００１７】
採光装置１０は、建物の屋外の太陽光等の外光を採光して、建物の屋内に光を導く装置である。外光は、建物の折板屋根２１に配置された天窓１２ａの第１の透光性部材１２を通して、導光路１１内に採り入れられる。導光路１１内に採り入れられた光は、採光部１３ａを通して室内に導かれる。採光部１３ａは、屋内の天井２２に露出し天井２２の一部を構成しており、屋外から導かれた外光を屋内に照射する。採光部１３ａは、導光路１１に対して開閉自在である。従って、採光装置１０は、採光部１３ａを開けて、導光路１１内及び天窓１２ａを点検又は修理することが容易になっている。
【００１８】
図１に示すように、導光路壁１１ｃの屋外側の開口端部１１ａには、天窓１２ａが配置されている。天窓１２ａは、導光路１１を覆う第１の透光性部材１２を有する。天窓１２ａは、図２に示すように、平面視が矩形形状を有する。図２に示す例では、３つの天窓１２ａ、１２ｂ、１２ｃが長手方向に連設されて建物の屋根に配置されている。天窓１２ａは、１つの第１の透光性部材１２を有している。天窓１２ｂ、１２ｃは、２つの第１の透光性部材１２を有している。図１に示す天窓１２ａの部分は、図２のＸ−Ｘ線拡大断面である。この天窓１２ａの説明は、天窓１２ｂ、１２ｃに対しても適宜適用される。
【００１９】
第１の透光性部材１２の全光線透過率は、８０％以上であることが、外光を採光して導光路１１内に導く上で好ましい。また、第１の透光性部材１２のヘーズ値は、１％以下であることが、外光を拡散せずに効率良く導光路１１内に導く上で好ましい。更に、同様の観点から、第１の透光性部材１２の拡散透過率は、１％以下であることが好ましい。上述したように、第１の透光性部材１２の全光線透過率が８０％以上、ヘーズ値が１％以下、拡散透過率が１％以下であると、十分な量の外光を導光路１１内に導くことができ、詳細については後述する採光部１３ａにおいて、最終的に屋内へ通す外光の量の調整幅を大きくすることができる。なお、上述した光学的特性の数値は、導光路１１内に導きたい光の量によって適宜変更することができ、上述の数値範囲に限定されるものではない。
【００２０】
ここで、全光線透過率は、第１の透光性部材１２に入射した光のうち、第１の透光性部材１２を透過する光の割合である。拡散透過率は、入射光に対する拡散透過光の比率である。ヘーズ値は、全光線透過率に対する拡散透過率の割合である。これらの値は、例えば、ＪＩＳ  Ｋ  ７１０５やＪＩＳ  Ｋ  ７３７５に規定される方法に基づいて測定される。
【００２１】
採光部１３ａは、導光路壁１１ｃの屋内側の開口端部１１ｂに配置される。採光部１３ａは、図３に示すように、平面視が矩形形状を有する。図３は、採光部１３ａを、屋外側から見た平面図である。図３に示す例では、３つの採光部１３ａ、１３ｂ、１３ｃが長手方向に連設されて建物の天井に配置されている。採光部１３ａは、天窓１２ａの鉛直下に配置されており、１つの第２の透光性部材１７を有している。採光部１３ｂは、天窓１２ｂの鉛直下に配置されており、２つの第２の透光性部材１７を有している。同様に、採光部１３ｃは、天窓１２ｃの鉛直下に配置されており、２つの第２の透光性部材１７を有している。図１に示す採光部１３ａの部分は、図３のＹ−Ｙ線拡大断面である。採光部１３ａに対する説明は、採光部１３ｂ、１３ｃに対しても適宜適用される。
【００２２】
なお、採光部１３ｂ、１３ｃは、導光路壁１１ｃに開閉不能に固定されていて、採光部１３ａのみが導光路壁１１ｃに開閉自在に取り付けられていても良い。
【００２３】
図４に示すように、採光部１３ａは、開閉自在な可動枠１４と、可動枠１４を開閉自在に嵌め込むための固定枠１５とを有する。固定枠１５は、ビス等を用いて、導光路壁１１ｃ及び下地材２３に固定されている。
【００２４】
更に説明すると、採光部１３ａは、図４に示すように、可動枠１４の屋内側の開口端部１４ｂに配置されて可動枠１４の開口を覆う透光性の光拡散性部材１６と、光拡散性部材１６と対向して可動枠１４に配置され、光拡散性部材１６に対して屋外側に配置される第２の透光性部材１７と、を有する。光拡散性部材１６と透光性部材１７との間は密閉されており、閉じた空間１４ｅが形成される。
【００２５】
採光部１３ａは、図３に示すように、矩形形状を有しており、可動枠１４及び固定枠１５も同様に矩形形状を有する。可動枠１４は、屋外側の開口端部１４ａ及び屋内側の開口端部１４ｂに矩形の開口を有している。可動枠１４の開口を覆う光拡散性部材１６も、可動枠１４と同様に矩形形状を有する。また、光拡散性部材１６と対向して屋外側に配置される第２の透光性部材１７も、光拡散性部材１６と同様の形状を有している。光拡散性部材１６及び第２の透光性部材１７は、シート状である。
【００２６】
閉じた空間１４ｅは、光拡散性部材１６と、第２の透光性部材１７と、可動枠１４とによって囲まれて形成されている。光拡散性部材１６の周囲と可動枠１４との間には、気密材１９aが配置されている。また、可動枠１４の屋外側の開口端の周囲と固定枠１５との間には、気密材１９ｂが配置されている。更に、固定枠１５の屋内側の開口端の周囲と天井２２との間には、気密材１９ｃが配置されている。閉じた空間１４ｅ（＝空気層）が建物の屋内２０ｂと導光路１１との間に存在することで、導光路１１内と建物の屋内との温度差が大きい場合でも、光拡散性部材１６の屋内側の面及び第２の透光性部材１７の屋外側の面に結露が生じることが防止される。また、閉じた空間１４ｅの外部から、内部に水蒸気が入り込むことも防止されるので、閉じた空間１４ｅの内部に結露が生じることもない。閉じた空間１４ｅは、その内部と外部との間に水蒸気の移動を防止する上で、気密性又は水密性を有することが特に好ましい。
【００２７】
また、採光部１３ａは、閉じた空間１４ｅを有するので、防音性を有する。そのため、屋外の音が、導光路１１を介して屋内に伝わることが防止される。
【００２８】
光拡散性部材１６は、屋外から導光路１１を通ってきた外光を屋内に通す透光性を有する。また、光拡散性部材１６は、屋外から導光路１１を通ってきた外光を散乱して屋内に通す光拡散性を有する。光拡散性部材１６が光拡散性を有することにより、光拡散性部材１６の全面から、外光を屋内に照射することができる。
【００２９】
光拡散性部材１６のヘーズ値は、６０％以上であることが、屋内側から、光拡散性部材１６よりも屋外側の部分が視認されることを抑制する上で好ましい。更に、光拡散性部材１６のヘーズ値は、８０％以上であれば、屋内側から、光拡散性部材１６よりも屋外側の部分が視認されることを一層抑制する上で好ましい。光拡散性部材１６の全光線透過率や拡散透過率は、上述したヘーズ値を満たすように適宜変更することができる。
【００３０】
例えば、採光装置１０では、全光線透過率が５４％であり、ヘーズ値が９３％であり、拡散透過率が５０％の光拡散性部材１６を用いることができる。
【００３１】
また、光拡散性部材１６の屋内側の面の全光線反射率は、２５〜８０％の範囲にあることが好ましい。これは、屋外が、夜間等に照明を使用している屋内よりも暗い場合に、天井２２の中で採光部１３ａの部分が暗く見えることを防止するためである。従って、光拡散性部材１６の屋内側の面の全光線反射率は、天井２２の全光線反射率と近い値を有することが好ましい。例えば、天井２２が白色系の明るい色を有する場合には、光拡散性部材１６の屋内側の面の全光線反射率は、３５〜８０％の範囲にあることが好ましい。また、光拡散性部材１６の屋内側の面の全光線反射率が、３５〜６０％の範囲にあれば、天井に対して、採光部１３ａの部分が暗く見えることを十分に防止できる。全光線反射率は、例えば、ＪＩＳ  Ｋ  ７３７５に規定される方法に基づいて測定される。
【００３２】
第２の透光性部材１７は、光拡散性部材１６と対向して、可動枠１４の屋外側の開口端部１４ａの開口を覆うように、可動枠１４に取り付けられている。第２の透光性部材１７は、屋外から導光路１１を通ってきた外光を屋内に通す透光性を有する。
【００３３】
第２の透光性部材１７の全光線透過率は、８０％以上であることが、採光した外光を屋内に導く上で好ましい。また、第２の透光性部材１７のヘーズ値は、１％以下であることが、外光を拡散せずに効率良く屋内側へ導く上で好ましい。上述したように、第２の透光性部材１７の全光線透過率が８０％以上、ヘーズ値が１％以下であると、導光路１１内に導かれた外光の量をほとんど減らすことなく、光拡散性部材１６側へ通すことができ、光拡散性部材１６において、最終的に屋内へ通す外光の量の調整幅を大きくすることができる。なお、上述した光学的特性の数値は、屋内に導きたい光の量によって適宜変更することができ、上述の数値範囲に限定されるものではない。
【００３４】
例えば、採光装置１０では、全光線透過率が８９％であり、ヘーズ値が０．２０％の第２の透光性部材１７を用いることができる。
【００３５】
建物の屋外２０ａと導光路１１内との温度差が大きい場合には、天窓１２ａの導光路１１内側の面に生じた結露が、採光部１３ａ上に落下する場合があり得る。また、導光路１１内に入りこんだ虫、又はゴミ・埃等が、採光部１３ａ上に落下する場合もあり得る。しかし、採光装置１０では、光拡散性部材１６が上述した範囲のヘーズ値及び拡散反射率を有すると共に、光拡散性部材１６と対向して可動枠１４に配置され、空間１４ｅを介して、光拡散性部材１６に対して屋外側に配置される第２の透光性部材１７上に水滴などが落下するので、屋内側から第２の透光性部材１７上の水滴等の影を視認することが抑制されて、屋内の美観の低下を抑制することができる。
【００３６】
採光部１３ａにおいて、光拡散性部材１６と第２の透光性部材１７との間隔は離れている程、屋内側から、採光部１３ａを通して光拡散性部材１６よりも屋外側の部分が視認されることが抑制される。一方、採光部の厚さとして求められる寸法も考慮すると、光拡散性部材１６と第２の透光性部材１７との間隔は、１５〜１５０ｍｍの範囲であることが好ましい。光拡散性部材１６と第２の透光性部材１７との間隔が、１５〜１５０ｍｍの範囲であると、屋内側から第２の透光性部材１７上の水滴等の影を視認することが確実に抑制されると共に、可動枠１４の厚みを薄くすることができるので、開閉機構をシンプルにすることができる。
【００３７】
図１及び図４に示すように、光拡散性部材１６の面の位置は、建物の屋内側の天井２２の面と一致していることが、天井２２の美観を高める上で好ましい。ここで、光拡散性部材１６の面の位置と天井２２の面とが一致するとは、天井２２の美観を損なうおそれがない程度に、２つの面の位置がずれていないことを意味する。例えば、光拡散性部材１６の面の位置と天井２２の面とが一致するとは、２つの面の位置の差が、鉛直方向に対して２ｃｍ以下である場合をいう。
【００３８】
図５に示すように、採光部１３ａでは、可動枠１４が、固定枠１５に対して回動自在に取り付けられており、導光路１１に対して開閉される。可動枠１４は、可動枠１４の４辺の内の一辺を軸として、取り付けられている固定枠１５に対して、屋内側に回動する。また、可動枠１４を閉じる際には、留め具１４ｃを用いて、可動枠１４が固定枠１５に留められる。図５では、開いた採光部１３ａが、鎖線で示されている。なお、可動枠１４は固定枠１５に対して、スライド自在又は取り外し自在に取り付けられていてもよく、開閉可能であれば、その取り付け方法は回動自在であることに限定されるものではない。
【００３９】
また、図５に示すように、可動枠１４の屋外側の開口端１４ｄは、第２の透光性部材１７よりも屋外側に向かって延出している。水滴等２４が、第２の透光性部材１７上に載っている場合、採光部１３ａが開かれて可動枠１４が屋内側に回動すると、水滴等２４が下に向かって移動する。しかし、水滴等２４は、可動枠１４の内側で受け止められるので、水滴等２４が屋内に落下することが防止される。
【００４０】
天窓１２ａを形成する第１の透光性部材１２の形成材料としては、ガラス又は透光性の合成樹脂等を用いることができる。
【００４１】
採光部１３ａを形成する第２の透光性部材１７の形成材料としては、ＰＣやＰＥＴやアクリルなどの合成樹脂製の透明板を用いることが、軽量であり好ましい。第２の透光性部材１７の厚さは、１．５ｍｍ程度あればたわみ等の変形に対しても十分な強度を有する。
【００４２】
採光部１３ａを形成する光拡散性部材１６の形成材料としては、乳白色やマット調などの合成樹脂板（例えば、透明ＰＣ板の表面にシボ加工を施したもの）、又は、ガラス繊維織布にシリコン系樹脂を含浸した不燃クロスを用いることができる。
【００４３】
上述した本実施形態の採光装置１０によれば、採光部の屋内側に結露の発生を防止すると共に、採光部の美観の低下を抑制することができる。
【００４４】
次に、上述した実施形態の採光装置の変形例を、図６（Ａ）〜（Ｃ）を参照して、以下に説明する。
【００４５】
図６（Ａ）〜（Ｃ）に示す採光装置の変形例は、みな、第２の透光性部材１７が屋外側に向かって凸状に形成されている点が、上述した実施形態とは異なっている。
【００４６】
図６（Ａ）に示す採光装置の変形例は、第２の透光性部材１７の中央が屋外側に向かって凸状に形成されている。第２の透光性部材１７は、周辺部から中央に向かって直線状に屋外側に向かって突出している。第２の透光性部材１７及び光拡散性部材１６が配置された採光部１３ａは、上述した実施形態と同様に、開閉自在である。
【００４７】
図６（Ｂ）に示す採光装置の変形例は、第２の透光性部材１７の中央が屋外側に向かって凸状に湾曲して形成されている。
【００４８】
図６（Ｃ）に示す採光装置の変形例は、第２の透光性部材１７の中央よりも周辺側に近い部分が屋外側に向かって凸状に形成されている。
【００４９】
上述した採光装置の変形例によれば、第２の透光性部材１７上に落下した水滴等が周辺の部分に移動するので、屋内側から、採光部１３ａを見た際に、第２の透光性部材１７上の水滴等の影が視認されることが一層抑制される。
【００５０】
更に、上述した実施形態の採光装置の変形例を、図７（Ａ）〜（Ｃ）を参照して、以下に説明する。
【００５１】
図７（Ａ）〜（Ｃ）に示す採光装置の変形例は、みな、導光路１１の経路が折れ曲がっている点が、上述した実施形態とは異なっている。
【００５２】
図７（Ａ）に示す採光装置の変形例では、鉛直方向から斜めに向かって延びる導光路壁１１ｃの屋外側の開口端部１１ａから外光を採光して、鉛直方向に向かって延びる導光路壁１１ｃの屋内側の開口端部１１ｂに光を導く。
【００５３】
図７（Ｂ）に示す採光装置の変形例では、鉛直方向に向かって延びる導光路壁１１ｃの屋外側の開口端部１１ａから外光を採光して、鉛直方向から斜めに向かって延びる導光路壁１１ｃの屋内側の開口端部１１ｂに光を導く。
【００５４】
図７（Ｃ）に示す採光装置の変形例では、鉛直方向から斜めに向かって延びる導光路壁１１ｃの屋外側の開口端部１１ａから外光を採光して、鉛直方向に対して直交して延びる導光路壁１１ｃの屋内側の開口端部１１ｂに光を導く。
【００５５】
次に、上述した採光装置の他の実施形態を、図８及び図９を参照しながら以下に説明する。他の実施形態について特に説明しない点については、上述の第１実施形態に関して詳述した説明が適宜適用される。
【００５６】
図８は、本明細書に開示する採光装置の第２実施形態の採光部を示す断面図である。
【００５７】
本実施形態の採光装置３０は、第２の透光性部材１７が、導光路壁１１ｃの内側に固定された枠１８に載せられている点が、上述した第１実施形態とは異なっている。採光部１３ａの可動枠１４には、光拡散性部材１６のみが配置されている。
【００５８】
閉じた空間１４ｅは、光拡散性部材１６と、第２の透光性部材１７と、可動枠１４と、固定枠１５と、導光路壁１１ｃの一部分とによって形成されている。
【００５９】
導光路１１内等を点検する際には、可動枠１４を開いた後、枠１８上に載置された第２の透光性部材１７を屋外側に押し上げることにより、導光路１１内が点検される。
【００６０】
上述した本実施形態の採光装置３０によれば、光拡散性部材１６と第２の透光性部材１７との間隔をより広げることができるので、屋内側から、採光部１３ａを通して光拡散性部材１６よりも屋外側の部分が視認されることが一層抑制される。また、可動枠１４を開けば、固定枠１５内の点検を行うことができる。
【００６１】
図９は、本明細書に開示する採光装置の第３実施形態の採光部を示す断面図である。
【００６２】
本実施形態の採光装置４０は、第２の透光性部材１７が、固定枠１５上に載せられている点が、上述した第１実施形態とは異なっている。採光部１３ａの可動枠１４には、光拡散性部材１６のみが配置されている。
【００６３】
閉じた空間１４ｅは、光拡散性部材１６と、第２の透光性部材１７と、可動枠１４と、固定枠１５とによって形成されている。
【００６４】
導光路１１内等を点検する際には、可動枠１４を開いた後、固定枠１５上に載置された第２の透光性部材１７を屋外側に押し上げることにより、導光路１１内が点検される。
【００６５】
上述した本実施形態の採光装置４０によれば、第２実施形態と同様の効果が奏される。
【００６６】
本発明では、上述した実施形態の採光部及びそのような採光部を用いた採光装置は、本発明の趣旨を逸脱しない限り適宜変更が可能である。また、一の実施形態が有する構成要件は、他の実施形態にも適宜適用することができる。
【００６７】
例えば、図２及び図３に示す天窓及び採光部の平面視した形状は、矩形形状には限られず、円形、楕円形、多角形等の他の形状に適宜設定され得る。
【００６８】
また、第２の透光性部材のヘーズ値又は拡散透過率を調整することにより、導光路壁内の構造が屋内側から影となって視認される程度を抑制しても良い。
【符号の説明】
【００６９】
１０、３０、４０    採光装置
１１    導光路
１１ａ    導光路壁の屋外側の開口端部
１１ｂ    導光路壁の屋内側の開口端部
１１ｃ    導光路壁
１２    第１の透光性部材
１２ａ、１２ｂ、１２ｃ    天窓
１３ａ、１３ｂ、１３ｃ    採光部
１４    可動枠
１４ａ    可動枠の屋外側の開口端部
１４ｂ    可動枠の屋内側の開口端部
１４ｃ    留め具
１４ｄ    可動枠の屋外側の開口端
１４ｅ    空間
１５    固定枠
１５ａ    固定枠の屋外側の開口端部
１６    光拡散性部材
１７    第２の透光性部材
１９a  １９ｂ  １９ｃ    気密材
１８    枠
２０ａ    建物の屋外
２０ｂ    建物の屋内
２１    屋根
２２    天井
２３    下地材
２４    水滴
【図１】
0005717455.tif 000002
【図２】
0005717455.tif 000003
【図３】
0005717455.tif 000004
【図４】
0005717455.tif 000005
【図５】
0005717455.tif 000006
【図６】
0005717455.tif 000007
【図７】
0005717455.tif 000008
【図８】
0005717455.tif 000009
【図９】
0005717455.tif 000010